Podtech/llm-jp-corpus-v4-ja_patent huggingface dataset:
【手続補正書】
【提出日】平成30年1月10日(2018.1.10)
【手続補正１】
【補正対象書類名】特許請求の範囲
【補正対象項目名】全文
【補正方法】変更
【補正の内容】
【特許請求の範囲】
【請求項１】
マトリクスを形成する少なくとも１つのポリマー材料および同化剤を含む物質送達システムであって、
前記少なくとも１つのポリマー材料はコラーゲンであり、
前記同化剤は、前記マトリクスを形成する前記少なくとも１つのポリマー材料内に含まれ、
前記マトリクスは二相性の足場または二相性の膜であり、
前記同化剤は、５〜１００ｍｃｇ／システムの用量のＦＧＦ−１８化合物である、前記物質送達システム。
【請求項２】
前記少なくとも１つのポリマー材料は、コラーゲンとグリコサミノグリカン（ＧＡＧ）との組み合わせである、請求項１に記載の物質送達システム。
【請求項３】
軟骨形成細胞を更に含む、請求項１又は２に記載の物質送達システム。
【請求項４】
前記ＦＧＦ−１８化合物は、
ａ）配列番号１の第２８〜２０７位の残基を含むヒトＦＧＦ−１８成熟型を含むまたは該成熟型から成るポリペプチド、および
ｂ）配列番号２を含むかまたは配列番号２から成るポリペプチド
から成る群より選択される、請求項１に記載の物質送達システム。
【請求項５】
請求項１〜４のいずれか１項に記載の物質送達システムを製造する方法であって、
ａ）少なくとも１つのポリマー材料を含むマトリクスを調製する工程；および、
ｂ）同化剤を、工程ａ）で調製したマトリクスに添加する工程；ここで、前記同化剤は、前記マトリクスを形成する前記少なくとも１つのポリマー材料内に含まれる、を含む前記方法。
【請求項６】
ｃ）軟骨形成細胞を、工程ａ）で調製したマトリクスに添加する工程；
を更に含む、請求項５に記載の方法。
【請求項７】
軟骨障害の治療における使用のための、請求項１〜４のいずれか１項に記載の物質送達システム。
【請求項８】
前記軟骨障害は、変形性関節症、軟骨損傷、および骨軟骨欠損より選択される、
請求項７に記載の使用のための物質送達システム。
【請求項９】
前記物質送達システムは、移植手順により前記治療を必要とする患者に投与される、請求項７または８に記載の使用のための物質送達システム。
【請求項１０】
請求項１〜５のいずれか１項に記載の物質送達システムを含む製品。
【請求項１１】
構成要素の各々は、移植前または移植後のいずれかに結合される、請求項１０に記載の製品。
【手続補正書】
【提出日】平成30年2月15日(2018.2.15)
【手続補正１】
【補正対象書類名】特許請求の範囲
【補正対象項目名】全文
【補正方法】変更
【補正の内容】
【特許請求の範囲】
【請求項１】
細胞におけるＴＲＰＡ１機能を阻害し、ＴＲＰＡ１機能に関連された状態を処置又は予防し、又は低減されたＴＲＰＡ１活性が重症度を低減させるために使用される、有効量のＴｍｅｍ１００変異ポリペプチド又はそのフラグメントを備える、組成物。
【請求項２】
前記ＴＲＰＡ１機能は、ＴＲＰＶ１と関連がある、請求項１に記載の組成物。
【請求項３】
前記Ｔｍｅｍ１００変異ポリペプチド又はそのフラグメントは、ＴＲＰＡ１とＴＲＰＶ
１との関連性を向上させる、請求項１に記載の組成物。
【請求項４】
前記ＴＲＰＡ１機能は、内側ＴＲＰＡ１媒介電流、外側ＴＲＰＡ１媒介電流、ＴＲＰＡ
１媒介イオン流出又はＴＲＰＡ１媒介の神経細胞の過剰興奮性である、請求項１に記載の組成物。
【請求項５】
前記Ｔｍｅｍ１００変異ポリペプチドは、配列番号１又は配列番号２のアミノ酸配列或いはそのフラグメントにおける一以上の変異を有するポリペプチドを備える、請求項１に記載の組成物。
【請求項６】
前記Ｔｍｅｍ１００変異ポリペプチドは、配列番号５、配列番号６、配列番号７、配列
番号８及び配列番号１７からなる群より選択されるアミノ酸配列又はそのフラグメントを
備える、請求項１に記載の組成物。
【請求項７】
前記Ｔｍｅｍ１００変異ポリペプチド又はそのフラグメントは、細胞に供給され、前記
細胞は、後根神経節（ＤＲＧ）にある感覚神経である、請求項１に記載の組成物。
【請求項８】
疥癬或いは急性疼痛又は慢性疼痛である疼痛の症状を予防、処置又は緩和するための、請求項１に記載の組成物。
【請求項９】
前記Ｔｍｅｍ１００変異ポリペプチド又はそのフラグメントは、一以上の薬物の組み合わせに使用される、請求項１に記載の組成物。
【請求項１０】
前記Ｔｍｅｍ１００変異ポリペプチド又はそのフラグメントは、一以上のＴＲＰＶ１阻害剤、ＴＲＰＶ３阻害剤、ＴＲＰＶ４阻害剤又はＴＲＰＭ８阻害剤と組み合わせに使用される、請求項９に記載の組成物。
【請求項１１】
有効量のＴｍｅｍ１００変異ポリペプチド又はそのフラグメントを備える、医薬組成物。
【請求項１２】
前記Ｔｍｅｍ１００変異ポリペプチドは、配列番号１又は配列番号２のアミノ酸配列或
いはそのフラグメントにおける一以上の変異を有するポリペプチドを備える、請求項１１
に記載の医薬組成物。
【請求項１３】
前記Ｔｍｅｍ１００変異ポリペプチドは、配列番号５、配列番号６、配列番号７及び配
列番号８からなる群より選択されるアミノ酸配列又はそのフラグメントを備える、請求項
１１に記載の医薬組成物。
【請求項１４】
配列番号５、配列番号６、配列番号７及び配列番号８からなる群より選択されるアミノ
酸配列又はそのフラグメントを備える、単離されたポリペプチド。
【請求項１５】
配列番号９、配列番号１０、配列番号１１及び配列番号１２からなる群より選択される
ヌクレオチド配列又はそのフラグメントを備える核酸配列によってコードされる、単離さ
れたポリペプチド。
【請求項１６】
配列番号９、配列番号１０、配列番号１１及び配列番号１２からなる群より選択される
ヌクレオチド配列又はそのフラグメントを備える、単離された核酸。
【請求項１７】
配列番号５、配列番号６、配列番号７及び配列番号８からなる群より選択されるアミノ
酸配列又はそのフラグメントを備えるポリペプチドをコードするヌクレオチド配列を備え
る、単離された核酸。
【手続補正書】
【提出日】平成30年2月20日(2018.2.20)
【手続補正１】
【補正対象書類名】特許請求の範囲
【補正対象項目名】全文
【補正方法】変更
【補正の内容】
【特許請求の範囲】
【請求項１】
式Ｉ：
Ａ−（Ｒ１）ｍ−（Ｂ）ｎ（式Ｉ）
［式中、
Ａは、モラクセラ・カタラーリス由来のＵｓｐＡ２またはその免疫原性フラグメントであり；
Ｒ１は、アミノ酸であり；
ｍは、０または２であり；
Ｂは、ヒスチジンであり；かつ
ｎは、０、１、２、３、４、５または６である］
のタンパク質。
【請求項２】
ＡがＵｓｐＡ２の免疫原性フラグメントである、請求項１に記載のタンパク質。
【請求項３】
ＵｓｐＡ２の免疫原性フラグメントが、配列番号３９、配列番号４０、配列番号４１、配列番号４２または配列番号４３と少なくとも９０％の同一性を有する、請求項１〜２のいずれか一項に記載のタンパク質。
【請求項４】
ｍが０である、請求項１〜３のいずれか一項に記載のタンパク質。
【請求項５】
ｎが２である、請求項１〜４のいずれか一項に記載のタンパク質。
【請求項６】
アミノ末端にメチオニンをさらに含んでなる、請求項１〜５のいずれか一項に記載のタンパク質。
【請求項７】
Ａが、配列番号１のアミノ酸３０〜５４０（配列番号３９）、配列番号１のアミノ酸３１〜５４０（配列番号４０）、配列番号１のアミノ酸３０〜５１９（配列番号４１）、配列番号１のアミノ酸３０〜５６４（配列番号４２）および配列番号１のアミノ酸３１〜５６４（配列番号４３）からなる群から選択されるＵｓｐＡ２の免疫原性フラグメントである、請求項１〜６のいずれか一項に記載のタンパク質。
【請求項８】
Ａが、配列番号４３と少なくとも５２％、５７％、６２％、６５％、６７％、７０％、７３％、７６％、８１％、１００％の同一性を有するＵｓｐＡ２の免疫原性フラグメントである、請求項１〜７のいずれか一項に記載のタンパク質。
【請求項９】
前記タンパク質が配列番号５３、配列番号５５、配列番号５７、配列番号５９、配列番号６１、配列番号６３、配列番号６５、配列番号６７、配列番号６９、配列番号７１、配列番号７３および配列番号８８からなる群から選択される、請求項１〜８のいずれか一項に記載のタンパク質。
【請求項１０】
Ａが、ラミニン結合ドメイン、フィブロネクチン結合ドメインおよびＣ３結合ドメインを含んでなるＵｓｐＡ２の免疫原性フラグメントである、請求項１〜９のいずれか一項に記載のタンパク質。
【請求項１１】
配列番号６９（ＭＣ−００９）のタンパク質である、請求項１〜１０のいずれか一項に記載のタンパク質。
【請求項１２】
請求項１〜１１のいずれか一項に定義される式（Ｉ）のタンパク質を含んでなる免疫原性組成物。
【請求項１３】
インフルエンザ菌由来の少なくとも１つの抗原、必要に応じてタンパク質Ｄをさらに含んでなる、請求項１２に記載の免疫原性組成物。
【請求項１４】
タンパク質Ｅ、ＰｉｌＡ、または、融合タンパク質であるＰＥおよびＰｉｌＡをさらに含んでなる、請求項１２または１３に記載の免疫原性組成物。
【請求項１５】
請求項１〜１１のいずれか一項に記載のタンパク質または請求項１２〜１４のいずれか一項に記載の免疫原性組成物を含んでなり、必要に応じてアジュバント、例えばＡＳ０１Ｅをさらに含んでなるワクチン。
【請求項１６】
前記免疫原性組成物が配列番号６９のタンパク質、タンパク質ＤおよびＰＥ−ＰｉｌＡ融合タンパク質（必要に応じてＬＶＬ−７３５）を含有する、請求項１５に記載のワクチン。
【請求項１７】
（ｉ）１０μｇのタンパク質Ｄと、１０μｇのＰＥ−ＰｉｌＡ融合タンパク質ＬＶＬ７３５と、１０μｇの配列番号６９のＵｓｐＡ２構築物（ＭＣ−００９）と、アジュバントＡＳ０１Ｅとを含んでなる、または、（ｉｉ）１０μｇのタンパク質Ｄと、１０μｇのＰＥ−ＰｉｌＡ融合タンパク質ＬＶＬ７３５と、３．３μｇの配列番号６９のＵｓｐＡ２構築物（ＭＣ−００９）と、アジュバントＡＳ０１Ｅとを含んでなる、請求項１５に記載のワクチン。
【請求項１８】
中耳炎、肺炎またはＭ．カタラーリス感染の治療または予防における使用のための、請求項１〜１１のタンパク質、または請求項１２〜１４の免疫原性組成物、または請求項１５〜１７のワクチン。
【請求項１９】
慢性閉塞性肺疾患（ＡＥＣＯＰＤ）の急性増悪の治療または予防における使用のための、請求項１〜１１のタンパク質、または請求項１２〜１４の免疫原性組成物、または請求項１５〜１７のワクチン。
【手続補正書】
【提出日】平成30年1月15日(2018.1.15)
【手続補正１】
【補正対象書類名】特許請求の範囲
【補正対象項目名】全文
【補正方法】変更
【補正の内容】
【特許請求の範囲】
【請求項１】
一般式（Ｉ）
【化１】
2017507175.tif 000001
の化合物、または薬学的に許容されるその塩、水和物、誘導体、溶媒和物もしくはプロドラッグ［式中、
Ｒ１は、ＨおよびＣ１〜Ｃ６アルキルからなる群から選択され、
Ｒ２は、ＯＨおよびＣ１〜Ｃ６アルコキシからなる群から選択され、
Ｒ３は、Ｈ、Ｃ１〜Ｃ６アルキルおよびハロからなる群から選択され、
Ｒ１０〜Ｒ１２は、ＯＨ、Ｃ１〜Ｃ６アルキル、Ｃ１〜Ｃ６アルコキシおよびハロからなる群から独立に選択され、
Ｒ１３は、ＯＨ、Ｃ１〜Ｃ６アルコキシ、ＮＨ２、ＮＨＭｅ、ＮＨＥｔ、Ｎ（Ｍｅ）２およびＮ（Ｅｔ）２からなる群から選択され、
Ｒ１４およびＲ１５は、Ｈ、ＯＨ、Ｃ１〜Ｃ６アルキルおよびハロからなる群から独立に選択されるか、または
Ｒ１３と、Ｒ１４およびＲ１５の一方とは、下記の構造：
【化２】
2017507175.tif 000002
を形成する］。
【請求項２】
Ｒ１が、ＨおよびＣ１〜Ｃ３アルキルからなる群から選択される、請求項１に記載の化合物。
【請求項３】
Ｒ２がＯＨである、請求項２に記載の化合物。
【請求項４】
Ｒ３が、Ｈ、Ｃ１〜Ｃ３アルキル、ＦおよびＣｌからなる群から選択される、請求項１から３のいずれか一項に記載の化合物。
【請求項５】
Ｒ１０が、ＯＨ、ＯＭｅおよびハロからなる群から選択される、請求項１から４のいずれか一項に記載の化合物。
【請求項６】
Ｒ１０が、ＯＨ、ＯＭｅおよびＦからなる群から選択される、請求項５に記載の化合物。
【請求項７】
Ｒ１０がＯＨである、請求項６に記載の化合物。
【請求項８】
Ｒ１１およびＲ１２が、ＯＨ、ＯＭｅ、Ｃ１〜Ｃ４アルキルおよびＦからなる群から独立に選択される、請求項１から７のいずれか一項に記載の化合物。
【請求項９】
Ｒ１１およびＲ１２が、ＯＨ、ＯＭｅ、ｔｅｒｔ−ブチル、メチルおよびＦからなる群から独立に選択される、請求項８に記載の化合物。
【請求項１０】
Ｒ１１およびＲ１２が、ＯＭｅ、ｔｅｒｔ−ブチル、メチルおよびＦからなる群から独立に選択される、請求項９に記載の化合物。
【請求項１１】
Ｒ１１およびＲ１２が、ＯＭｅ、ｔｅｒｔ−ブチルおよびＦからなる群から独立に選択される、請求項９に記載の化合物。
【請求項１２】
Ｒ１３が、ＯＨ、ＯＭｅ、ＮＨ２、ＮＨＥｔおよびＮ（Ｅｔ）２からなる群から選択される、請求項１から１１のいずれか一項に記載の化合物。
【請求項１３】
Ｒ１３がＯＨである、請求項１２に記載の化合物。
【請求項１４】
Ｒ１４およびＲ１５が、Ｈ、Ｆ、Ｃｌおよびメチルからなる群から独立に選択される、請求項１から１３のいずれか一項に記載の化合物。
【請求項１５】
Ｒ１３と、Ｒ１４およびＲ１５の一方とが、下記の構造：
【化３】
2017507175.tif 000003
を形成する、請求項１から１１のいずれか一項に記載の化合物。
【請求項１６】
下記の構造：
【化４】
2017507175.tif 000004
［式中、Ｒ１、Ｒ３およびＲ１０〜Ｒ１５は、請求項１において定義されている通りである］
を有する、式（Ｉ）の化合物。
【請求項１７】
【化６】
2017507175.tif 000005
2017507175.tif 000006
2017507175.tif 000007
2017507175.tif 000008
2017507175.tif 000009
からなる群から選択される、式（Ｉ）の化合物。
【請求項１８】
化合物２及び化合物９から選択される、請求項１７に記載の化合物。
【請求項１９】
請求項１から１８のいずれか一項に記載の式（Ｉ）の化合物を、薬学的に許容される担体、賦形剤または添加剤とともに含む、医薬組成物。
【請求項２０】
必要とする対象におけるがんの治療のための方法であって、対象への、治療有効量の、請求項１から１８のいずれか一項に記載の式（Ｉ）の化合物、または請求項１９に記載の組成物の投与を含む、方法。
【請求項２１】
がんが、再発したがんである、請求項２０に記載の方法。
【請求項２２】
がんが、膵臓がん、結腸直腸がん、黒色腫、前立腺がん、脳がん、卵巣がん、乳がん、肺がん、肝臓がん、子宮がん、神経芽細胞腫、中皮腫、悪性腹水または腹膜がんからなる群から選択される、請求項２０または請求項２１に記載の方法。
【請求項２３】
がん再発のリスクがあると認められる対象における、がん再発の発生率またはリスクを低減させるための方法であって、対象への、有効量の、請求項１から１８のいずれか一項に記載の式（Ｉ）の化合物または請求項１９に記載の組成物の投与を含む、方法。
【請求項２４】
がん再発のリスクがあると認められる対象が、がん寛解状態にある対象である、請求項２３に記載の方法。
【手続補正書】
【提出日】平成30年2月14日(2018.2.14)
【手続補正１】
【補正対象書類名】明細書
【補正対象項目名】００５３
【補正方法】変更
【補正の内容】
【００５３】
これらの要件すべてに対処する先行技術はない。そのため、道路標示産業では、より少ない手作業で、作業者の安全性を向上させ、今日利用可能な現在の道路メンテナンス・ストライピング技術より正確で効率的かつ廉価な道路標示メンテナンス・ストライピング機器が必要とされている。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  独国特許出願公開第１０２０１１１１９４７８号明細書
（特許文献２）  独国特許出願公開第１０２０１１１１９３１２号明細書
（特許文献３）  米国特許第５，１６９，２６２号明細書
（特許文献４）  米国特許第５，２０３，９２３号明細書
（特許文献５）  米国特許第５，２９６，２５６号明細書
（特許文献６）  米国特許第５，８２８，５８５号明細書
（特許文献７）  米国特許第６，３３０，５０３号明細書
（特許文献８）  米国特許第８，４６７，９６８号明細書
（特許文献９）  米国特許第８，９３５，０５７号明細書
（特許文献１０）  米国特許第９，２３０，１１７号明細書
（特許文献１１）  米国特許第９，２９８，９９１号明細書
（特許文献１２）  米国特許第９，７８４，８４３号明細書
（特許文献１３）  米国特許出願公開第２００１／０１６０５９５号明細書
（特許文献１４）  米国特許出願公開第２００４／１６０５９５号明細書
（特許文献１５）  米国特許出願公開第２００７／００８１６９５号明細書
（特許文献１６）  米国特許出願公開第２００８／００９１３１５号明細書
（特許文献１７）  米国特許出願公開第２０１３／０１６７３８５号明細書
（特許文献１８）  米国特許出願公開第２０１３／０１９０９８１号明細書
【手続補正書】
【提出日】平成29年11月27日(2017.11.27)
【手続補正１】
【補正対象書類名】特許請求の範囲
【補正対象項目名】全文
【補正方法】変更
【補正の内容】
【特許請求の範囲】
【請求項１】
導水システムにおける水処理へのホスホ酒石酸及びその塩類の使用。
【請求項２】
ホスホ酒石酸が、導水システムの１リットルにつき０．１〜１００００ｍｇ、好ましくは０．２〜１０００ｍｇ、特に好ましくは０．３〜３００ｍｇの量で導水システムに添加される請求項１に記載された使用。
【請求項３】
導水システムの水が、１〜２０００００μＳ／ｃｍの範囲、好ましくは５〜２０００μＳ／ｃｍの範囲、特に好ましくは１０〜５０００μＳ／ｃｍの範囲の導電率を有する先の請求項の一方に記載された使用。
【請求項４】
ホスホ酒石酸及び／又はその塩類が、導水システムの液１ｍ３に対して０〜３０モルの範囲、好ましくは０．１〜２０モルの範囲、特に好ましくは０．５〜１５モルの範囲のカルシウム硬度を有する導水システムに使用される先の請求項のいずれかに記載された使用。
【請求項５】
１以上のアルカリ金属塩類及び／又は１以上のアンモニウム塩類の形態である先の請求項のいずれかに記載された使用。
【請求項６】
腐食抑制剤としての先の請求項のいずれかに記載された使用。
【請求項７】
スケール抑制剤としての先の請求項のいずれかに記載された使用。
【請求項８】
ホスホ酒石酸及び／又はその塩類が、成分ａ）として、更に成分ｂ）及び／又はｃ）のうちの少なくとも１つと共に使用される先の請求項のいずれかに記載された使用。
ここで、成分ｂ）は脂肪族ジ−、トリ−及び６個までのカルボン酸基からなるオリゴカルボン酸類、少なくとも１つのヒドロキシル基を有する脂肪族モノカルボン酸類、アミノ酸類、その塩類、及びその混合物から選ばれ、そして成分ｃ）は、無機ポリリン酸、メタポリリン酸、及びその塩類、及び水溶性有機ホスホン酸類及びその塩類及びその混合物から選ばれる。
【請求項９】
組成物は、成分ｂ）と成分ａ）とを含み、成分ｂ）に対する成分ａ）の重量比が、いずれの場合も純物質として計算された値で、１：２０〜２０：１の範囲、好ましくは１：１０〜１０：１の範囲である請求項８に記載された使用。
【請求項１０】
成分ｂ）は、酒石酸、リンゴ酸、乳酸、グリコール酸、グルコン酸、クエン酸、イソクエン酸、マンデル酸、メバロン酸、タルトロン酸、ヒドロキシアルカン酸、没食子酸、サリチル酸、ヒドロキシ安息香酸、アスパラギン酸、アルカンジオン酸類、不飽和アルカンジオン酸類、特にフマル酸、マレイン酸、ブタンテトラカルボン酸、シクロヘキサンヘキサンカルボン酸、その塩類、その混合物から選ばれる請求項８及び９のいずれかに記載された使用。
【請求項１１】
アルカンジオン酸類が式ＣＯＯＨ−（ＣＨ２）ｎ−ＣＯＯＨ、ここでｎは１〜１４の範囲、を有するアルカンジオン酸類から選ばれる請求項１０に記載された使用。
【請求項１２】
成分ｃ）を含み、成分ｃ）は、ポリリン酸、メタポリリン酸、及びその塩類、特にナトリウム、カリウム、アンモニウム塩類及び／又はその酸性塩類、有機ホスホン酸類、特に、ヒドロキシエタンジホスホン酸、ヒドロキシホスホノ酢酸、アミノメチレントリホスホン酸、ホスホノブタントリカルボン酸、ヘキサメチレンジアミンテトラメチレンホスホン酸、ジエチレントリアミンペンタメチレンホスホン酸、エチレンジアミンテトラメチレンホスホン酸、ヒドロキシエチルアミノジメチレンホスホン酸、ビスヘキサメチレントリアミンペンタメチレンホスホン酸、ホスホノオリゴカルボン酸、及びその塩類、その混合物から選ばれる請求項８から１１のいずれかに記載された使用。
【請求項１３】
ポリリン酸が、式Ｈｎ＋２ＰｎＯ３＋１、ここでｎは１〜１００の範囲、好ましくは１〜１０の範囲、を有するポリリン酸類から選ばれる請求項１２に記載された使用。
【請求項１４】
メタポリリン酸が、式ＨｎＰｎＯ３ｎ、ここでｎは３〜１００の範囲、好ましくは３〜１０の範囲、を有するメタリン酸類から選ばれる請求項１２に記載された使用。
【請求項１５】
組成物は水溶液又は水分散液である請求項８から１４のいずれかに記載された使用。
【請求項１６】
ホスホ酒石酸は、特にポリアルキレングリコール類、テルペン類、非イオン性界面活性剤類、アニオン性界面活性剤類、カチオン性界面活性剤類、両性界面活性剤類、及びその混合物から選ばれるバイオ分散剤類との組み合わせで使用される先の請求項のいずれかに記載された使用。
【請求項１７】
ホスホ酒石酸は、特に、酸化性殺生物剤類、例えば塩素、次亜塩素酸塩類、次亜臭素酸塩類、塩化臭素、二酸化塩素、オゾン、過酸化水素、過ホウ酸塩類、過マンガン酸塩類、有機過酸類、ジ及びトリクロロイソシアヌレート類、又は非酸化性殺生物剤類、例えば、グルタルジアルデヒド、第４級アンモニウム又はホスホニウム化合物類、ポリ第４級アンモニウム化合物類、イソチアゾール化合物類、銅又は銀化合物類、ブロノポール、安息香酸塩類、チオカルバマート類、アジン類、２，２−ジブロモ−２−シアノアセトアミド類、ハロヒダントイン類、及びハロアミン類及びその混合物から、選ばれる殺生物剤との組み合わせで使用される先の請求項のいずれかに記載された使用。
【請求項１８】
使用が、また、ホスホ酒石酸と、請求項１６に請求された１種以上のバイオ分散剤、及び／又は、請求項１７に請求された１種以上の殺生物剤、及び／又は、更に腐食抑制剤、スケール抑制剤及び分散剤から選ばれる成分、との組み合わせを含む先の請求項のいずれかに記載された使用。
【請求項１９】
ホスホ酒石酸及び／又はその塩類と、ヒドロキシカルボン酸（類）及び／又はその塩類の１以上とを含む組成物。
【請求項２０】
ホスホ酒石酸及び／又はその塩類を含む導水システム用水処理剤。
【誤訳訂正書】
【提出日】平成30年4月13日(2018.4.13)
【誤訳訂正１】
【訂正対象書類名】特許請求の範囲
【訂正対象項目名】全文
【訂正方法】変更
【訂正の内容】
【特許請求の範囲】
【請求項１】
高性能高分子量ポリL-乳酸（h-PLLA）合成方法であり、
ヒトの体内の代謝プロセスに生成する生物有機分子グアニジン化合物であるアルギニン、グアニジノ酢酸、クレアチン、クレアチニン又はリン酸クレアチンの何れかを触媒（BG）とし、人体に必要な金属であるカリウム、鉄、亜鉛又はカルシウムの無毒な塩の何れかを活性化剤（Act）とする二元触媒システム（BG-Act）を構成してバルク重合法でL-ラクチド（LLA）の開環重合を行い、
化学反応式：
2017507229.tif 000001
ここで、mの平均値は2.8-3.5×102、 m×nの平均値は2.8-3.8×103；
合成手順：
単量体LLA 、触媒 (BG) と活性化剤 (Act)を重合反応窯に入れ、三回の「真空排気−窒素充填」という循環操作を通じて、重合反応窯の中の空気を除去し、バルク重合法でLLAの開環重合を行う；重合反応の条件コントロールは、二段法を採用する；第一段の重合反応で重量平均分子量（Mw）が4.0-5.0×104である中分子量ポリL-乳酸（m-PLLA）を得た後、第二段の重合反応条件によって引き続き重合反応を行い、最終的に得る高性能高分子量ポリL-乳酸（h-PLLA）のMwが4.0-5.5×105である；
合成条件：
第一段の重合反応条件：温度（T）=125-140℃、圧力（P）=0.4-0.6 torr、反応時間（t）=16-24h；
第二段の重合反応条件：T=140-160℃、P=0.1-0.3torr、t=25-60h、
であることを特徴とする合成方法。
【請求項２】
製品とする重合物の主要性能指標が、分子量分布指数（PDI）≦1.70、融点 (Tm) ≧185℃、結晶度(Xc) ≧80.2%であることを特徴とする請求項1に記載の高性能高分子量ポリL-乳酸（h-PLLA）合成方法。
【請求項３】
製品とする重合物の主要性能指標が、Mw = 5.5 × 105、PDI=1.50、Tm= 188℃、Xc=82.9%であることを特徴とする請求項２に記載の高性能高分子量ポリL-乳酸（h-PLLA）合成方法。
【請求項４】
前記触媒（BG）と前記活性剤（Act）の使用量は、それぞれ、単量体L-ラクチドの原料投入重量の0.001-0.05wt%であることを特徴とする請求項1に記載の高性能高分子量ポリL-乳酸（h-PLLA）合成方法。
【請求項５】
前記無毒の塩は、炭酸塩、酢酸塩、乳酸塩とグリコール酸塩であることを特徴とする請求項１に記載の高性能高分子量ポリL-乳酸（h-PLLA）合成方法。
【請求項６】
前記無毒の塩は、炭酸カリウム(K2CO3)、炭酸第一鉄(FeCO3)、乳酸亜鉛([CH3CH(OH)COO]2Zn)、炭酸カルシウム(CaCO3)、乳酸カルシウム([CH3CH(OH)COO]2Ca)、酢酸カリウム(CH3COOK)、グリコール酸亜鉛((HOCH2COO)2Zn)と酢酸カルシウム ((CH3COO)2Ca)であることを特徴とする請求項５に記載の高性能高分子量ポリL-乳酸（h-PLLA）合成方法。
【誤訳訂正２】
【訂正対象書類名】明細書
【訂正対象項目名】０００６
【訂正方法】変更
【訂正の内容】
【０００６】
本発明の技術案は次のとおりである。高性能高分子量ポリL-乳酸（h-PLLA）合成方法であり、ヒトの体内の代謝プロセスに生成する生物有機分子グアニジン化合物であるアルギニン、グアニジノ酢酸、クレアチン、クレアチニン又はリン酸クレアチンの何れかを触媒（BG）とし、人体に必要な金属であるカリウム、鉄、亜鉛又はカルシウムの無毒な塩の何れかを活性化剤（Act）とする二元触媒システム（BG-Act）を構成してバルク重合法でL-ラクチド（LLA）の開環重合を行い、化学反応式は次のとおりである。  
2017507229.tif 000002
ここで、mの平均値は2.8-3.5×102、 m×nの平均値は2.8-3.8×103。
【手続補正書】
【提出日】平成30年1月26日(2018.1.26)
【手続補正１】
【補正対象書類名】特許請求の範囲
【補正対象項目名】全文
【補正方法】変更
【補正の内容】
【特許請求の範囲】
【請求項１】
トレッド、クラウン補強材を含むクラウン、2枚の側壁、2本のビード、これら2本のビードに固定され且つ一方の側壁から他方の側壁へ延びているカーカス補強材を含むタイヤであって、前記トレッドが少なくとも1種の熱可塑性エラストマーを含み、該熱可塑性エラストマーが、水素化されていてもよいブタジエン/スチレンランダムコポリマータイプの少なくとも1個のエラストマーブロックと、スチレンタイプの少なくとも1個の熱可塑性ブロックとを含むブロックコポリマーであり、且つ、熱可塑性エラストマーの総含有量が65〜100phr (エラストマー100質量部当りの質量部)の範囲内であることを特徴とする前記タイヤ。
【請求項２】
前記SBRエラストマーブロックが、10％〜60％の範囲内のスチレン含有量を有する、請求項１記載のタイヤ。
【請求項３】
前記SBRエラストマーブロックが、4モル%〜75モル%の範囲内のブタジエン部の1,2−結合含有量および20モル%〜96モル%の範囲内の1,4−結合含有量を有する、請求項１又は２記載のタイヤ。
【請求項４】
前記SBRエラストマーブロックが、ブタジエン部における二重結合の25モル%〜100モル%の割合が水素化されるように水素化されている、請求項１〜３のいずれか１項記載のタイヤ。
【請求項５】
前記ブロックコポリマーの熱可塑性ブロックが、ポリスチレンから選ばれる、請求項１〜４のいずれか１項記載のタイヤ。
【請求項６】
前記熱可塑性エラストマーが、前記トレッドの唯一のエラストマーである、請求項１〜５のいずれか１項記載のタイヤ。
【請求項７】
前記トレッドが、置換されていてもよいポリフェニレンエーテル単位を含む熱可塑性樹脂をさらに含む、請求項１〜６のいずれか１項記載のタイヤ。
【手続補正書】
【提出日】平成29年12月1日(2017.12.1)
【手続補正１】
【補正対象書類名】特許請求の範囲
【補正対象項目名】全文
【補正方法】変更
【補正の内容】
【特許請求の範囲】
【請求項１】
Ｔｒｏｐ−２発現癌を有する対象に投与することで、Ｔｒｏｐ−２発現癌に対する免疫応答を誘発するためのキットであって、Ｔｒｏｐ−２に対する少なくとも１個の結合部位と、ＣＤ３に対する少なくとも１個の結合部位とを含む二重特異性抗体を含むキット。
【請求項２】
（ｉ）インターフェロン−α、インターフェロン−β、インターフェロン−λ１、インターフェロン−λ２、及びインターフェロン−λ３からなる群から選択されるインターフェロン；（ｉｉ）チェックポイント阻害物質抗体；ならびに（ｉｉｉ）抗体−薬物コンジュゲート（ＡＤＣ）からなる群から選択される少なくとも１種の治療薬をさらに含む、請求項１に記載のキット。
【請求項３】
前記インターフェロンがインターフェロン−αである、請求項２に記載のキット。
【請求項４】
前記チェックポイント阻害物質抗体が、ラムブロリズマブ（ＭＫ−３４７５）、ニボルマブ（ＢＭＳ−９３６５５８）、ピジリズマブ（ＣＴ−０１１）、ＡＭＰ−２２４、ＭＤＸ−１１０５、ＭＥＤＩ４７３６、ＭＰＤＬ３２８０Ａ、ＢＭＳ−９３６５５９、イピリムマブ、リルルマブ、ＩＰＨ２１０１、及びトレメリムマブからなる群から選択される、請求項２または３に記載のキット。
【請求項５】
前記チェックポイント阻害物質抗体が、ＣＴＬＡ４、ＰＤ１、ＰＤ−Ｌ１、ＬＡＧ３、Ｂ７−Ｈ３、Ｂ７−Ｈ４、ＫＩＲ、及びＴＩＭ３からなる群から選択される抗原に結合する、請求項２または３に記載のキット。
【請求項６】
前記抗体−薬物コンジュゲートが、ｈＬＬ１−ドキソルビシン、ｈＲＳ７−ＳＮ−３８、ｈＭＮ−１４−ＳＮ−３８、ｈＬＬ２−ＳＮ−３８、ｈＡ２０−ＳＮ−３８、ｈＰＡＭ４−ＳＮ−３８、ｈＬＬ１−ＳＮ−３８、ｈＲＳ７−Ｐｒｏ−２−Ｐ−Ｄｏｘ、ｈＭＮ−１４−Ｐｒｏ−２−Ｐ−Ｄｏｘ、ｈＬＬ２−Ｐｒｏ−２−Ｐ−Ｄｏｘ、ｈＡ２０−Ｐｒｏ−２−Ｐ−Ｄｏｘ、ｈＰＡＭ４−Ｐｒｏ−２−Ｐ−Ｄｏｘ、ｈＬＬ１−Ｐｒｏ−２−Ｐ−Ｄｏｘ、Ｐ４／Ｄ１０−ドキソルビシン、ゲムツズマブオゾガマイシン、ブレンツキシマブベドチン、トラスツズマブエムタンシン、イノツズマブオゾガマイシン、グレムバツモマブベドチン、ＳＡＲ３４１９、ＳＡＲ５６６６５８、ＢＩＩＢ０１５、ＢＴ０６２、ＳＧＮ−７５、ＳＧＮ−ＣＤ１９Ａ、ＡＭＧ−１７２、ＡＭＧ−５９５、ＢＡＹ−９４−９３４３、ＡＳＧ−５ＭＥ、ＡＳＧ−２２ＭＥ、ＡＳＧ−１６Ｍ８Ｆ、ＭＤＸ−１２０３、ＭＬＮ−０２６４、抗ＰＳＭＡ  ＡＤＣ、ＲＧ−７４５０、ＲＧ−７４５８、ＲＧ−７５９３、ＲＧ−７５９６、ＲＧ−７５９８、ＲＧ−７５９９、ＲＧ−７６００、ＲＧ−７６３６、ＡＢＴ−４１４、ＩＭＧＮ−８５３、ＩＭＧＮ−５２９、ボルセツズマブマホドチン、及びロルボツズマブメルタンシンからなる群から選択される、請求項２〜５のいずれか一項に記載のキット。
【請求項７】
ＡＤＣが、いかなる他の作用物質よりも前に投与されるためのものである、請求項２〜６のいずれか一項に記載のキット。
【請求項８】
前記インターフェロンが、遊離インターフェロン、ペグ化インターフェロン、インターフェロン融合タンパク質、または抗体にコンジュゲートしたインターフェロンとして投与されるためのものである、請求項２〜７のいずれか一項に記載のキット。
【請求項９】
前記Ｔｒｏｐ−２発現癌が、食道、膵臓、肺、胃、結腸、直腸、膀胱、乳房、卵巣、子宮、腎臓、または前立腺の癌である、請求項１〜８のいずれか一項に記載のキット。
【請求項１０】
第２の抗体またはその抗原結合性断片、薬物、毒素、酵素、細胞毒性薬物、抗血管新生薬、アポトーシス促進性作用物質、抗生物質、ホルモン、免疫調節薬、サイトカイン、ケモカイン、アンチセンスオリゴヌクレオチド、低分子干渉ＲＮＡ（ｓｉＲＮＡ）、ホウ素化合物、及び放射性同位体からなる群から選択される治療薬をさらに含む、請求項１〜９のいずれか一項に記載のキット。
【請求項１１】
前記二重特異性抗体が、ヒト化ＲＳ７（抗Ｔｒｏｐ−２）抗体またはその抗原結合性を含む、請求項１〜１０のいずれか一項に記載のキット。
【請求項１２】
前記二重特異性抗体が、Ｏｋｔ３（抗ＣＤ３）抗体またはその抗原結合性断片を含む、請求項１〜１０のいずれか一項に記載のキット。
【請求項１３】
前記二重特異性抗体が、配列番号１０７のアミノ酸配列を含む、請求項１〜１０のいずれか一項に記載のキット。
【請求項１４】
前記二重特異性抗体が、サイトカイン放出症候群（ＣＲＳ）を誘発し得るレベルまでサイトカイン産生を増大させることなく、Ｔｒｏｐ−２発現癌に対する免疫応答を誘発するためのものである、請求項１〜１３のいずれか一項に記載のキット。
【請求項１５】
配列番号１０７のアミノ酸配列を含む二重特異性抗体。
【手続補正書】
【提出日】平成30年1月25日(2018.1.25)
【手続補正１】
【補正対象書類名】明細書
【補正対象項目名】００３３
【補正方法】変更
【補正の内容】
【００３３】
【図１】Ｘｔａｎｄｉ（参考例１）、並びに実施例５、６及び１３の組成物からのエンザルタミド溶出の比較を示す。
【図２】参考例３〜６からのエンザルタミド溶出の比較を示す。
【図３】実施例３及び４、並びに参考例８からのエンザルタミド溶出の比較を示す。
【図４】実施例１２及び参考例１０からのエンザルタミド溶出の比較を示す。
【図５】吸着体中の完全に非晶質のエンザルタミド（実施例１ａ；図５Ａ）、エンザルタミドの固体分散体（参考例９；図５Ｂ）、及び吸着体中のＡＲＮ−５０９（実施例１０；図５Ｃ）を示すためのＸＲＤ回折図を示す。
【図６】Ｘｔａｎｄｉ（参考例１）、並びに実施例５、６及び１３についてエンザルタミド１回量摂取後のエンザルタミド血漿濃度のシミュレートした時間プロフィールを示す。
【手続補正２】
【補正対象書類名】明細書
【補正対象項目名】００３８
【補正方法】変更
【補正の内容】
【００３８】
成分（ｃ）として特に適当な界面活性剤は、アニオン性界面活性剤、好ましくはラウリル硫酸ナトリウム；ポリエチレングリコール（ＰＥＧ）、好ましくは約２０００〜１００００の範囲の分子量を有するＰＥＧ、より好ましくはＰＥＧ  ３３５０、ＰＥＧ  ４０００、ＰＥＧ  ６０００、ＰＥＧ  ８０００；ポリソルベート、好ましくはトゥイーン２０、トゥイーン８０またはスパン８０；脂肪酸エステル、好ましくはプロピレングリコールカプリレート、例えばカプムルＰＧ−８、カプリオール９０；グリセロールと脂肪酸のエステル、好ましくはグリセロールオレエート及びカプリレート（カプムルＭＣＭ）；ポリエチレングリコールと脂肪酸のエステル、例えばラブラゾル及びソルトール；ヒマシ油エトキシレート（グリセロールポリエチレングリコールリシノレエート）、例えばクレモフォールＥＬ及びクレモフォールＲＨ  ４０からなる群から選択され得る。より好ましくは、界面活性剤はラウリル硫酸ナトリウム；ＰＥＧ  ３３５０、ＰＥＧ  ４０００、ＰＥＧ  ６０００またはＰＥＧ  ８０００、好ましくはＰＥＧ  ６０００；トゥイーン２０またはトゥイーン８０；及びポリエチレングリコールと脂肪酸のエステルからなる群から選択され、最も好ましくはラウリル硫酸ナトリウム及びＰＥＧ  ６０００であり、特にラウリル硫酸ナトリウムである。
【手続補正３】
【補正対象書類名】明細書
【補正対象項目名】０１１０
【補正方法】変更
【補正の内容】
【０１１０】
実施例２ａ：サイロイド上１０％  ＡＲＮ−５０９吸着体の製造手順
１ｇのＡＲＮ−５０９を２５ｍｌのジクロロメタン中に溶解させた。この溶液に１０ｇの乾燥サイロイドを添加し、撹拌した。この溶液に１００ｍｌのｎ−ヘキサンをゆっくり添加し、撹拌した。溶媒を減圧下で１時間かけてゆっくり除去した。溶媒を更に５０℃及び１０ｍｂａｒで８時間除去した。
【手続補正４】
【補正対象書類名】明細書
【補正対象項目名】０１１１
【補正方法】変更
【補正の内容】
【０１１１】
実施例２ｂ：ノイシリン上１０％  ＡＲＮ−５０９吸着体の製造手順
１ｇのＡＲＮ−５０９を２５ｍｌのジクロロメタン中に溶解させた。この溶液に１０ｇの乾燥ノイシリンを添加し、撹拌した。この溶液に１００ｍｌのｎ−ヘキサンをゆっくり添加し、撹拌した。溶媒を減圧下で１時間かけてゆっくり除去した。溶媒を更に５０℃及び１０ｍｂａｒで８時間除去した。
【手続補正５】
【補正対象書類名】図面
【補正対象項目名】図４
【補正方法】変更
【補正の内容】
【図４】
2017507928.tif 000001
【手続補正書】
【提出日】平成30年3月12日(2018.3.12)
【手続補正１】
【補正対象書類名】特許請求の範囲
【補正対象項目名】全文
【補正方法】変更
【補正の内容】
【特許請求の範囲】
【請求項１】
対象の脳または中枢神経系腫瘍を治療するための医薬組成物であり、治療有効量の式Ａ：
【化１】
2017507971.tif 000001
の化合物であって、式中、
Ｘ1、Ｘ2及びＸ3のそれぞれは、Ｈ、Ｆ及びＣｌからなる群から独立して選択され、Ｘ1、Ｘ2及びＸ3のうちの少なくとも２つはＦもしくはＣｌであり、
Ｒ1はＣ1からＣ3アルキルであり、Ｒ2はＣ1からＣ3アルキルである
前記式Ａの化合物または薬学的に許容されるその塩を含む医薬組成物。
【請求項２】
前記式Ａの化合物または薬学的に許容されるその塩が、式１：
【化２】
2017507971.tif 000002
の化合物または薬学的に許容されるその塩である、請求項１に記載の医薬組成物。
【請求項３】
治療される前記腫瘍は、中枢神経系に発生する、請求項１または２に記載の医薬組成物。
【請求項４】
治療される前記腫瘍は、中枢神経系または脳の外側で発生した腫瘍である、請求項１から３のいずれか一項に記載の医薬組成物。
【請求項５】
治療される前記腫瘍は、肺、乳房、結腸、腎臓、前立腺、膀胱、メラノーマ、甲状腺、胚細胞及び子宮腫瘍からなる群から生じた転移腫瘍である、請求項１から４のいずれか一項に記載の医薬組成物。
【請求項６】
治療される前記腫瘍は、肺腫瘍から脳に転移した、請求項１から５のいずれか一項に記載の医薬組成物。
【請求項７】
前記対象は、放射線及び／または化学療法剤により同時に治療される、請求項１から６のいずれか一項に記載の医薬組成物。
【請求項８】
前記対象は、放射線により同時に治療される、請求項７に記載の医薬組成物。
【請求項９】
前記対象は、治療有効量の［３Ｈ］−イミダゾ［５，１−ｄ］−１，２，３，５−テトラジン−４−オン誘導体により同時に治療される、請求項７に記載の医薬組成物。
【請求項１０】
前記対象は、テモゾロミベにより同時に治療される、請求項９に記載の医薬組成物。
【手続補正書】
【提出日】平成30年3月1日(2018.3.1)
【手続補正１】
【補正対象書類名】特許請求の範囲
【補正対象項目名】全文
【補正方法】変更
【補正の内容】
【特許請求の範囲】
【請求項１】
３−メチルオキセタン−３−イル−４−（３−（２−メトキシピリジン−３−イル）ピラゾロ［１，５−ａ］ピリミジン−５−イル）ピペラジン−１−カルボキシレート：
【化１】
2017507980.tif 000001
である化合物又はその薬学的に許容可能な塩。
【請求項２】
結晶である、請求項１に記載の化合物。
【請求項３】
融点が約１８２．５℃である、請求項２に記載の化合物。
【請求項４】
約１２．７度、１４．８度、１８．７度、１９．０度、１９．７度、及び／又は２５．１度の２θにピークのある粉末Ｘ線回折パターンを有する、請求項２に記載の結晶性化合物。
【請求項５】
請求項１〜４のいずれか一項に記載の化合物を含む、アダプター関連キナーゼ１（ＡＡＫ１）阻害剤。
【請求項６】
請求項１〜４のいずれか一項に記載の化合物と薬学的に許容可能な賦形剤又は希釈剤とを含む医薬組成物。
【請求項７】
ＡＡＫ１活性によって媒介される疾患又は障害を治療又は管理するための請求項６に記載の医薬組成物。
【請求項８】
前記疾患又は障害が、アルツハイマー病、双極性障害、疼痛、パーキンソン病又は統合失調症である、請求項７に記載の医薬組成物。
【請求項９】
前記疼痛が神経因性疼痛である、請求項８に記載の医薬組成物。
【請求項１０】
前記神経因性疼痛が、線維筋痛症又は末梢神経障害である、請求項９に記載の医薬組成物。
【手続補正書】
【提出日】平成30年3月7日(2018.3.7)
【手続補正１】
【補正対象書類名】特許請求の範囲
【補正対象項目名】全文
【補正方法】変更
【補正の内容】
【特許請求の範囲】
【請求項１】
非イオン性ポリマーを含んでなるマトリックス、該マトリックス内に分散した第１の量のオンダンセトロンおよび該マトリックス内に分散したイオン化可能な塩を含有してなるコアであって、オンダンセトロンの第１の量が約９ｍｇ〜約２８ｍｇの範囲であり；
前記コアを覆い、非イオン性ポリマーマトリックスからなる第１の非機能性シールコート；および
前記第１のシールコートを覆い、非イオン性ポリマーおよびその中に分散している第２の量のオンダンセトロンを含有してなる即放性薬物層であって、該第２の量のオンダンセトロンが約３ｍｇ〜約８ｍｇの範囲である即放性薬物層を含んでなる、患者を治療するための固形経口製剤であって、
該第１の非機能性シールコートは該固形経口製剤からのオンダンセトロンの放出には実質的に影響を及ぼさず、
該固形製剤は、オンダンセトロンをバーストさせ、続いてオンダンセトロンをゼロ次放出させ、
該固形経口製剤からのオンダンセトロンの放出によって最低１６時間オンダンセトロンへの暴露をもたらし、患者における嘔吐、悪心、下痢、またはそれらの組合せのいずれかの頻度の減少をもたらす、固形経口製剤。
【請求項２】
約９ｍｇの第１の量のオンダンセトロンおよび約３ｍｇの第２の量のオンダンセトロンを含有する請求項１記載の固形経口製剤。
【請求項３】
約１８ｍｇの第１の量のオンダンセトロンおよび約６ｍｇの第２の量のオンダンセトロンを含有する請求項１記載の固形経口製剤。
【請求項４】
約２０ｍｇの第１の量のオンダンセトロンおよび約８ｍｇの第２の量のオンダンセトロンを含有する請求項１記載の固形経口製剤。
【請求項５】
約２８ｍｇの第１の量のオンダンセトロンおよび約８ｍｇの第２の量のオンダンセトロンを含有する請求項１記載の固形経口製剤。
【請求項６】
患者は少なくとも１２歳であり、急性胃腸炎または急性胃炎であると推定され、固形経口製剤が約１８ｍｇの第１の量のオンダンセトロンおよび約６ｍｇの第２の量のオンダンセトロンを含有する請求項１記載の固形経口製剤。
【請求項７】
患者は少なくとも１２歳であり、下痢型過敏性腸症候群を有しており、固形経口製剤が約１８ｍｇの第１の量のオンダンセトロンおよび約６ｍｇの第２の量のオンダンセトロンを含有する請求項１記載の固形経口製剤。
【請求項８】
患者は１２歳未満であり、下痢型過敏性腸症候群を有しており、固形経口製剤が約９ｍｇの第１の量のオンダンセトロンおよび約３ｍｇの第２の量のオンダンセトロンを含有する請求項１記載の固形経口製剤。
【請求項９】
絶食条件下の成人における単回経口投与による投与での、オンダンセトロンの最大血漿濃度到達時間（Tmax）の中央値が約４時間であり、最大血漿濃度（Cmax）が、投与後約２４時間でのオンダンセトロンの平均血漿レベル（C24）の２倍を超え、患者への投与後少なくとも２４時間有効な治療をもたらす、請求項１記載の固形経口製剤。
【請求項１０】
即放性薬物層を覆う第２の非機能性シールコートをさらに含んでなる請求項１記載の固形経口製剤であって、該第２の非機能性シールコートは非イオン性ポリマーマトリックスからなり、該第２の非機能性シールコートは該固形経口製剤からのオンダンセトロンの放出には実質的に影響を及ぼさない、固形経口製剤。
【誤訳訂正書】
【提出日】平成30年5月11日(2018.5.11)
【誤訳訂正１】
【訂正対象書類名】明細書
【訂正対象項目名】００１２
【訂正方法】変更
【訂正の内容】
【００１２】
遷移金属錯体及び炭素-炭素多重結合部分、例えば、SWCNTを含む複合物は、例えば、ポリスチレンビーズの形態のポリマーと混合することができる。
他の態様において、センサーを製造する方法は、炭素-炭素多重結合部分を含む導電材料及び炭素-炭素多重結合部分と相互作用することが可能な遷移金属錯体を含む複合体を形成すること;並びに該導電材料を少なくとも2つの電極と電気的に連通するように配置することを含む。
【誤訳訂正２】
【訂正対象書類名】明細書
【訂正対象項目名】００１３
【訂正方法】変更
【訂正の内容】
【００１３】
他の態様において、センサーを製造する方法は、炭素-炭素多重結合部分を含む導電材料、炭素-炭素多重結合(bon)部分と相互作用することが可能な遷移金属錯体、及び1種以上のポリマーを含む複合体を形成すること;並びに該導電材料を少なくとも2つの電極と電気的に連通するように配置することを含む。
【誤訳訂正３】
【訂正対象書類名】明細書
【訂正対象項目名】００１４
【訂正方法】変更
【訂正の内容】
【００１４】
該方法は、複合体をある温度で噴霧乾燥させて、粘性の導電材料を得ることを含み得るが、該粘性の材料は、少なくとも2つの電極と電気的に連通するように配置され得る。温度は、100〜210℃、140℃〜210℃、180℃〜210℃、例えば、200℃超であり得る。噴霧乾燥は、窒素などの不活性雰囲気中で実施できる。
遷移金属は銅であり得る。電極は金であり得る。センサーは、エチレンを検知するように構成することができる。錯体は、Cu(I)スコルピオネートであり得る。錯体はCu(I)スコルピオネート1であり得る。
【誤訳訂正４】
【訂正対象書類名】明細書
【訂正対象項目名】００６８
【訂正方法】変更
【訂正の内容】
【００６８】
ポリマーに包まれたSWCNTは、CHCl3中でポリチオフェン(PT)をSWCNTと合わせ、超音波処理して製造した。混合物を遠心分離し、上澄みを単離した。次いで、物質をエタノールで沈殿させるとポリチオフェン（polythiopene）に包まれたSWCNT(PT/SWCNT)を与えた。これらをCHCl3に懸濁させ、銅錯体1のトルエン溶液を加えると、PT/SWCNT/1複合体を与えた。これらを、測定用に、金電極の上にスピンコートした。
【誤訳訂正５】
【訂正対象書類名】明細書
【訂正対象項目名】００７１
【訂正方法】変更
【訂正の内容】
【００７１】
図15は、SWCNTの官能化を表す。SWCNTを、160℃のo-ジクロロベンゼン中でS-(2-アジドエチル)チオフェノール(炭素あたり1当量)と2日間合わせると、修飾されたSWCNTを与えた。修飾されたSWCNTと1をo-ジクロロベンゼン中で合わせ、超音波処理し、次いで得られた複合体を金電極間にドロップキャストすることにより、デバイスを製造した。図16は、低濃度のエチレンに対するそのようなデバイスの相対的な応答を示す。100ppm未満のエチレンに対する感度と共に、低濃度のエチレンに対する可逆的な応答が観察された。
【誤訳訂正書】
【提出日】平成30年2月21日(2018.2.21)
【誤訳訂正１】
【訂正対象書類名】明細書
【訂正対象項目名】００２５
【訂正方法】変更
【訂正の内容】
【００２５】
前記ノーズは、平坦あるいは窪んだ先端でありうる。前記複数のリブは、等間隔で配列されうる。
【手続補正書】
【提出日】平成30年4月5日(2018.4.5)
【手続補正１】
【補正対象書類名】特許請求の範囲
【補正対象項目名】全文
【補正方法】変更
【補正の内容】
【特許請求の範囲】
【請求項１】
電解装置であって：
水を収容するためのケースおよび複数の係合構造体を有する前記ケースの内部の壁を備える電解タンク；および
前記複数の係合構造体に連結されてかつ別々に配置される複数の電極を備え；
前記複数の電極が、射出成形によって前記ケースに固定されることを特徴とする電解装置。
【請求項２】
前記電解タンクが、前記複数の電極上に配置される上プレートを更に備え、前記上プレートが、絶縁材でできていてかつ前記複数の電極内に形成される一組のギャップ内に配置される複数の突起を備えることを特徴とする請求項１に記載の電解装置。
【請求項３】
前記上プレートが、前記上プレートを通して貫通する複数の穴部を更に備えることを特徴とする請求項２に記載の電解装置。
【請求項４】
前記複数の穴部が、前記複数の電極内の前記一組のギャップに対応していることを特徴とする請求項３に記載の電解装置。
【請求項５】
前記電解タンクが、絶縁材でできていてかつ前記複数の電極より下に配置される下プレートを更に備えることを特徴とする請求項１に記載の電解装置。
【請求項６】
前記ケースの底部と前記電極との間の間隔が、１ｃｍ以上であることを特徴とする請求項１に記載の電解装置。
【請求項７】
前記電解タンクが、複数の上部の穴部を備えたカバーを更に備え、および一組の電極チャネルが前記複数の電極内に形成されるように、電極チャネルが前記２本の隣接する電極の間に形成され、および前記一組の電極チャネルが前記複数の上部の穴部に対応していることを特徴とする請求項１に記載の電解装置  
【請求項８】
前記電解タンクが、絶縁材でできていてかつ前記カバーと前記複数の電極との間に配置される上プレートを更に備え、前記上プレートが、前記一組の電極チャネル内に配置される複数の突起を備え、および前記上プレートが前記一組の電極チャネルに対応する複数の穴部を備えることを特徴とする請求項７に記載の電解装置。
【請求項９】
前記複数の電極が、陰極、陽極および前記陰極と前記陽極との間に構成される複数の双極電極を備えることを特徴とする請求項１に記載の電解装置。
【請求項１０】
前記２本の隣接する双極電極によって構成される一組の電解電極の電圧差異が、１．５Ｖから３Ｖまでの間にあることを特徴とする請求項９に記載の電解装置。
【請求項１１】
前記陰極および前記陽極が、それぞれざらつきを有し、前記陰極および前記陽極が、それぞれ金メッキの出っ張りを備え、ならびに前記陰極および前記陽極がそれぞれ前記出っ張りを通して電源に接続されることを特徴とする請求項９に記載の電解装置。
【請求項１２】
前記２本の隣接する電極の間の距離が、２ｍｍから４ｍｍまでの間にあることを特徴とする請求項９に記載の電解装置。
【請求項１３】
電解装置であって：
水を収容するための中空空間を備える水槽；
前記水槽の前記中空空間内に配置されるケーシングを備えた電解タンクであって、前記電解タンクの前記ケースが、前記水および複数の係合構造体を有する前記ケースの内部の壁を収容するために構成される電解タンク；ならびに
前記複数の係合構造体に連結されてかつ別々に配置される複数の電極を備え；
前記複数の電極が、射出成形によって前記ケースに固定されることを特徴とする電解装置。
【請求項１４】
前記電解タンクの底部が前記水槽の前記中空空間に流体的に連結される複数の下部の穴部を備える請求項１３に記載の電解装置。
【請求項１５】
一組の電極チャネルが前記複数の電極内に形成されるように、電極チャネルが前記２本の隣接する電極の間に形成され、および前記一組の電極チャネルが前記複数の下部の穴部に流体的に連結される請求項１４に記載の電解装置。
【請求項１６】
前記電解タンクが、前記複数の電極上に配置される上プレートを更に備え、前記上プレートが、絶縁材でできていてかつ前記複数の電極内に形成される一組のギャップ内に配置される複数の突起を備えることを特徴とする請求項１３に記載の電解装置。
【請求項１７】
前記上プレートが、前記上プレートを通して貫通する複数の穴部を更に備え、および前記複数の穴部が前記複数の電極内の前記一組のギャップに対応していることを特徴とする請求項１６に記載の電解装置。
【請求項１８】
前記電解タンクが、前記上プレートより上にカバーを更に備え、および前記カバーが前記上プレートの前記複数の穴部に対応する複数の上部の穴部を備えることを特徴とする請求項１７に記載の電解装置。
【請求項１９】
前記電解タンクが、前記ケースの側面から延在するセパレータを更に備え、前記セパレータが、前記水槽の前記中空空間を上部および下部に分割し、ならびに前記水槽の前記中空空間の前記上部が前記電解タンクの前記上部の穴部に流体的に連結されることを特徴とする請求項１８に記載の電解装置。